(57)【要約】    【課題】架空電線に螺旋状の巻付けグリップを容易に着脱することのできる電線用巻付けグリップの巻付け装置の提供。    【解決手段】架空電線２を移動自在に把持する把持部４を設ける。巻付けグリップ３を周方向に押し出す押出部５ａ、５ｂを設ける。把持部４を架空電線２に沿って移動させながら周方向に回転させる。押出部５ａ、５ｂで巻付けグリップ３の螺旋状の装着部８を順に押し出す。装着部８を架空電線２の周りに巻き付けたり、装着部８を架空電線の周りから解いたりして、巻付けグリップ３を着脱する。【選択図】  図４
2018148652.tif 000002
【特許請求の範囲】
【請求項１】
架空電線に螺旋状の巻付けグリップを着脱するための巻付け装置であって、前記架空電線を移動自在に把持する把持部と、該把持部が架空電線に沿って移動しながら周方向に回転する際に巻付けグリップを周方向に押し出す押出部と、を備えたことを特徴とする電線用巻付けグリップの巻付け装置。
【請求項２】
前記把持部を周方向に分離する開口が設けられ、該開口に臨む把持部の端面に前記押出部が設定されたことを特徴とする請求項１に記載の電線用巻付けグリップの巻付け装置。
【請求項３】
前記押出部として、巻付けグリップを装着する際に周方向に押し出す装着用押出部が設けられ、該装着用押出部は、径方向に対して押出方向に傾斜して設定されたことを特徴とする請求項１又は２に記載の電線用巻付けグリップの巻付け装置。
【請求項４】
前記押出部として、巻付けグリップを取り外す際に周方向に押出す取外し用押出部が設けられ、該取外し用押出部は、径方向に対して押出方向と反対側に傾斜して設定されたことを特徴とする請求項１、２又は３に記載の電線用巻付けグリップの巻付け装置。
【請求項５】
前記架空電線を締め付ける方向に把持部を付勢するばねが設けられたことを特徴とする請求項１〜４のいずれかに記載の電線用巻付けグリップの巻付け装置。
【請求項６】
前記押出部は、架空電線に沿う方向における幅を巻付けグリップの螺旋ピッチよりも短く設定されたことを特徴とする請求項１〜５のいずれかに記載の電線用巻付けグリップの巻付け装置。
【発明の詳細な説明】
【技術分野】
【０００１】
本発明は、架空電線に螺旋状の巻付けグリップを着脱するための電線用巻付けグリップの巻付け装置に関するものである。
【背景技術】
【０００２】
万が一、雷害や不慮の事故、劣化などによって架空電線が断線した場合、充電された電線が地上に落下することにより、感電事故などを生じるおそれがある。
【０００３】
これに対し、例えば特許文献１は、複数の並行する架空電線の各電線に螺旋状の巻付けグリップを装着し、この巻付けグリップにロープを係止して、複数の電線間にロープを張設することにより、断線した架空電線の破断部が地上まで到達するのを防止する技術を開示している。
【先行技術文献】
【特許文献】
【０００４】
【特許文献１】特開２００７−３１２８２１号公報（段落０００５、０００７）
【発明の概要】
【発明が解決しようとする課題】
【０００５】
ところが、特許文献１に記載の巻付けグリップは、充電された電線に装着するものであるため、その装着には、例えば絶縁された棒状工具の先端部を巻付けグリップに係止して、電線の周りに半周ずつ巻き付けるという操作を数回に渡って繰り返す必要があり、その装着作業に時間が掛かると共に、電線を損傷させるおそれがある。
【０００６】
本発明は、架空電線に螺旋状の巻付けグリップを容易に着脱することのできる電線用巻付けグリップの巻付け装置の提供を目的とする。
【課題を解決するための手段】
【０００７】
上記目的を達成するために、本発明に係る電線用巻付けグリップの巻付け装置は、架空電線に螺旋状の巻付けグリップを着脱するためのであり、架空電線を移動自在に把持する把持部と、この把持部が架空電線に沿って移動しながら周方向に回転する際に巻付けグリップを周方向に押し出す押出部と、を備えたものである。
【０００８】
上記構成によれば、架空電線を把持する把持部を架空電線に沿って移動させながら周方向に回転させることにより、巻付けグリップを押出部で周方向に押し出して、架空電線の周りに巻き付けたり、架空電線の周りから解いたりすることができる。しかも、巻付けグリップが螺旋状であるので、これを押出部で周方向に押し出すよう把持部を周方向に回転させるだけで、押出部を巻付けグリップの螺旋形状の傾斜に沿って滑らせることができ、把持部を架空電線に沿う方向に移動させることができる。
【０００９】
また、把持部を周方向に分離する開口を設け、この開口に臨む把持部の端面に押出部を設定するようにしてもよい。
【００１０】
この構成によると、把持部に開口を形成することによって押出部を設定するので、押出部専用の部材を不要にすることができる。しかも、押出部を把持部の開口に臨む位置に設定するので、押出部を架空電線の外面に極力近づけることができ、架空電線の外面に巻き付く巻付けグリップを無理なく押し出すことができる。
【００１１】
また、押出部として、巻付けグリップを装着する際に周方向に押し出す装着用押出部を設け、この装着用押出部を径方向に対して押出方向に傾斜させて設定するようにしてもよい。
【００１２】
この構成によると、装着用押出部を押出方向に傾斜させるので、巻付けグリップを装着する際、巻付けグリップを周方向に押し出しつつ径方向で内向きに押さえることができ、巻付けグリップを架空電線の周りに無理なく巻き付けることができる。ここで、「径方向に対して押出方向に傾斜」とは、装着用押出部のうちの径方向で内側部分よりも外側部分が押出方向で前方に位置している状態をいう。
【００１３】
また、押出部として、巻付けグリップを取り外す際に周方向に押出す取外し用押出部を設け、この取外し用押出部を径方向に対して押出方向と反対側に傾斜させて設定するようにしてもよい。
【００１４】
この構成によると、取外し用押出部を押出方向と反対側に傾斜させるので、巻付けグリップを取り外す際、巻付けグリップを周方向に押し出しつつ径方向で外向きに押さえることができ、巻付けグリップを架空電線の周りから無理なく解くことができる。ここで、「径方向に対して押出方向と反対側に傾斜」とは、取外し用押出部のうちの径方向で内側部分よりも外側部分が押出方向で後方に位置している状態をいう。
【００１５】
また、架空電線を締め付ける方向に把持部を付勢するばねを設けるようにしてもよい。
【００１６】
この構成によると、ばねの付勢力を介して、把持部で架空電線を把持するので、架空電線を過度の力で締め付けるのを防止しつつ、把持部と架空電線の外周面との隙間を小さくすることができる。これにより、架空電線に対する移動を可能としつつ、架空電線を確実に把持すると共に、把持部と架空電線の外周面との間への巻付けグリップの噛み込みを防止することができる。
【００１７】
また、押出部を架空電線に沿う方向における幅を巻付けグリップの螺旋ピッチよりも短く設定するようにしてもよい。
【００１８】
この構成によると、安定した押し出しによる巻付けグリップの巻き付けを可能としつつ、押出部が幅方向に過度に大きくなるのを防止することができる。つまり、押出部が螺旋状の巻付けグリップの２点に接触するので、その接触箇所の間隔を大きくすることにより、巻付けグリップの押出部位を安定して押し出すことができるが、押出部の幅を大きくしたとしても、２点の接触箇所の間隔が螺旋ピッチよりも大きくなることはない。したがって、押出部の幅を螺旋ピッチよりも小さく設定することにより、押出部に巻付けグリップの押出部位の安定に寄与しない無駄な部分が生じるのを防止することができる。
【発明の効果】
【００１９】
上記のとおり、本発明によると、架空電線を把持部で把持して、架空電線に沿って移動させながら周方向に回転させることにより、巻付けグリップを押出部で周方向に押し出すようにしている。これにより、感電事故や電線の損傷を生じることなく、充電された架空電線に螺旋状の巻付けグリップを短時間で容易に着脱することができる。
【図面の簡単な説明】
【００２０】
【図１】本発明に係る電線用巻付けグリップの巻付け装置の斜視図
【図２】図１の巻付け装置の縦断面図
【図３】架空電線及び巻付けグリップの斜視図
【図４】架空電線への巻付けグリップの巻き始めの状態を示す図
【図５】架空電線への巻付けグリップの巻き終りの状態を示す図
【図６】架空電線からの巻付けグリップの解き始めの状態を示す図
【図７】架空電線からの巻付けグリップの解き終りの状態を示す図
【図８】開口付近を示す断面図
【図９】巻付け装置の別の形態を示す斜視図
【図１０】巻付け装置のさらに別の形態を示す斜視図
【発明を実施するための形態】
【００２１】
以下、本発明に係る電線用巻付けグリップの巻付け装置を実施するための形態について、図面を用いて説明する。
【００２２】
図１〜図７に示すように、巻付け装置１は、例えば、並行する複数の架空電線２の間にロープを張設して架空電線２の断線による落下を防止するよう、各架空電線２に、ロープを係止する螺旋状の巻付けグリップ３を着脱するためのものであり、架空電線２を移動自在に把持する把持部４と、把持部４が架空電線２に沿って移動しながら周方向に回転する際に巻付けグリップ３を周方向に押し出す押出部５ａ、５ｂと、把持部４を回転操作する操作部６ａ、６ｂと、を備えている。
【００２３】
巻付けグリップ３は、例えば、可撓性を有する金属製の線材の中央に、ロープを係止するためのＵ字型の係止部７を形成すると共に、係止部７の両側に螺旋状の装着部８を形成した構造とされ、各装着部８を撓ませながら架空電線２の周囲に巻き付けて装着するようになっている（図３〜図５参照）。
【００２４】
把持部４は、全体として略直方体で、分割部９において一対の分割体４ａ、４ｂに分割すると共に、シャフト１０を介して接近離間自在に一体化した構造とされ、シャフト１０が分割体４ａを移動自在に支持しつつ分割体４ｂを弾性支持している。この把持部４は、分割体４ａ、４ｂの接近状態で、中央に、架空電線２を挿通させる円形の中央穴１１が構成されると共に、中央穴１１から外部に至って把持部４を周方向に分離する略扇形の開口１２が構成される。
【００２５】
分割部９は、把持部４を構成する直方体の一面と平行で、かつシャフト１０と直交するよう設定され、把持部４の中央穴１１から一方の外縁に至る範囲に設けられて、この分割部９と開口１２とにより、把持部４が分割体４ａ、４ｂに分割される。
【００２６】
シャフト１０は、先端に、皿ばね１３を介して分割体４ａの先端側への移動を規制する先端側ストッパ１４が形成されると共に、中間部に、皿ばね１５を介して分割体４ａの基端側への移動を規制する基端側ストッパ１６が形成され、先端側ストッパ１４と基端側ストッパ１６との間に、分割体４ａに螺合されるねじ１７が形成されている。
【００２７】
シャフト１０の基端には、シャフト１０を回転操作するハンドル１８が設けられ、このハンドル１８と基端側ストッパ１６との間が分割体４ｂを貫通している。ハンドル１８と分割体４ｂとの間には、分割体４ｂを基端側ストッパ１６に向けて付勢する付勢ばね１９が設けられ、架空電線２を締め付ける方向に把持部４を付勢するようになっている。
【００２８】
分割体４ａは、例えば合成樹脂からなり、中央穴１１からずれた位置に形成されたシャフト孔２０にシャフト１０のねじ１７を螺合され、シャフト１０の回転に伴ってシャフト軸方向に移動する。
【００２９】
分割体４ｂは、例えば合成樹脂からなり、中央穴１１からずれた位置に形成されたシャフト孔２１をシャフト１０が貫通し、シャフト軸方向に移動することなくシャフト１０の回転を許容する。シャフト孔２１の両側の開口周縁部には、シャフト１０の皿ばね１５及び基端側ストッパ１６を収容する凹部２２と、付勢ばね１９を収容する凹部２３とが形成されている。
【００３０】
把持部４の中央穴１１は、分割体４ａ、４ｂの互いに対向する面に形成された円弧溝１１ａ、１１ｂにより構成され、各円弧溝１１ａ、１１ｂのＲが架空電線２よりも大径に設定されている。
【００３１】
把持部４の開口１２は、円弧溝１１ａの外縁から把持部４の外縁に至る分割体４ａの端面と、円弧溝１１ｂの外縁から把持部４の外縁に至る分割体４ｂの端面と、の間に構成され、開口１１に臨む把持部４の端面に押出部５ａ、５ｂが設定される。
【００３２】
押出部５ａ、５ｂは、架空電線２に沿う方向における幅（Ｗ）を巻付けグリップ３の螺旋ピッチ（Ｐ）よりも短く設定されている。
【００３３】
分割体４ａに設定される押出部５ａは、分割体４ａの端面をシャフト１０に対して例えば４５°程度の角度で傾斜させると共に、中央穴１１の径方向に対して押出方向に角度（θａ）だけ傾斜させて構成され、巻付けグリップ３を架空電線２に装着する際に周方向に押し出す装着用押出部とされる（図８参照）。
【００３４】
分割体４ｂに設定される押出部５ｂは、分割体４ｂの端面をシャフト１０と平行に設定すると共に、径方向に対して押出方向と反対側に角度（θｂ）だけ傾斜させて構成され、巻付けグリップ３を架空電線２から取り外す際に周方向に押出す取外し用押出部とされる（図８参照）。  
【００３５】
操作部６ａ、６ｂは、分割体４ａのシャフト孔２０を挟んで両側に突設され、その先端の操作穴２４ａ、２４ｂに工具を係合して、中央穴１１に挿通した架空電線２の周りに把持部４を回転させるようになっている。操作部６ａ、６ｂは、操作穴２４ａ、２４ｂの中心が中央穴１１を中心とする同心円状に配置するように形成される。
【００３６】
次に、上記の巻付け装置１を用いて架空電線２に巻付けグリップ３を着脱する手順を説明する。
【００３７】
図３〜図５に示すように、巻付けグリップ３を架空電線２に装着するには、まず、巻付けグリップ３の一方の装着部８の基部を架空電線２に掛け（図３参照）、ハンドル１８を操作して、装着部８の基部の近傍部分を開口１２の内側に位置させつつ、把持部４で架空電線２を把持する（図４参照）。
【００３８】
次いで、操作部６ａ、６ｂに工具を係合して巻付け装置１を架空電線２の周りに回転させ、装着用押出部としての押出部５ａで巻付けグリップ３の装着部８を周方向に押し出しつつ、巻付け装置１を架空電線２に沿って装着部８の先端側に移動させる。その際、押出部５ａが装着部８の螺旋形状の傾斜に沿って滑ることにより、架空電線２の周りに回転させるだけで、巻付け装置１が架空電線２に沿って装着部８の先端側に移動する。
【００３９】
これにより、螺旋状の装着部８が基部から先端側に向かって順に架空電線２の周りに巻き付けられ（図５参照）、同様の手順で、反対側の装着部８を架空電線２に巻き付けることにより、巻付けグリップ３の装着が完了する。
【００４０】
ここで、押出部５ａは、その幅（Ｗ）が装着部８の螺旋ピッチ（Ｐ）よりも短いので、幅方向に余ることなく、装着部８を２点で安定して押し出すことができる。しかも、押出部５ａが径方向に対して押出方向に傾斜しているので、装着部８を架空電線２の表面に押し付けるようにスムーズに巻き付けることができる（図８参照）。
【００４１】
一方、図６及び図７に示すように、巻付けグリップ３を架空電線２から取り外すには、まず、ハンドル１８を操作して、装着部８の先端部を開口１２の内側に位置させつつ、把持部４で架空電線２を把持する（図６参照）。
【００４２】
次いで、操作部６ａ、６ｂに工具を係合して巻付け装置１を架空電線２の周りに回転させ、取外し用押出部としての押出部５ｂで巻付けグリップ３の装着部８を周方向に押し出しつつ、巻付け装置１を架空電線２に沿って装着部８の基部側に移動させる。その際、押出部５ｂが装着部８の螺旋形状の傾斜に沿って滑ることにより、架空電線２の周りに回転させるだけで、巻付け装置１が架空電線２に沿って装着部８の先端側に移動する。
【００４３】
これにより、螺旋状の装着部８が先端部から基部側に向かって順に架空電線２の周りから解かれ（図７参照）、同様の手順で、反対側の装着部８を架空電線２から解くことにより、巻付けグリップ３の取り外しが完了する。
【００４４】
ここで、押出部５ｂは、その幅（Ｗ）が装着部８の螺旋ピッチ（Ｐ）よりも短いので、幅方向に余ることなく、装着部８を２点で安定して押し出すことができる。しかも、押出部５ｂが径方向に対して押出方向と反対側に傾斜しているので、装着部８を架空電線２の表面から引き離すようにスムーズに解くことができる（図８参照）。
【００４５】
なお、本発明は、上記の実施の形態に限定されるものではなく、本発明の範囲内において、適宜変更を加えることができる。例えば、図９に示すように、巻付け装置２５としては、把持部４に開口１２を設けて押出部５ａ、５ｂを構成する代わりに、架空電線２と巻付けグリップ３との間に挿入できる程度の厚さの板で把持部２６を構成して、この把持部２６から外向きに棒状の押出部２７を突出させるようにしてもよい。
【００４６】
また、図１０に示すように、巻付け装置２８としては、把持部２９から架空電線２と平行かつ近傍に板状の押出部３０を突出させ、この押出部３０で巻付けグリップ３を押し出すようにしてもよい。巻付け装置２８の把持部２９には、テーパー３１が形成され、巻付けグリップ３の先端をスムーズに乗り越えさせるようになっている。
【符号の説明】
【００４７】
１    巻付け装置
２    架空電線
３    巻付けグリップ
４    把持部
４ａ、４ｂ  分割体
５ａ  押出部（装着用押出部）
５ｂ  押出部（取外し用押出部）
６ａ、６ｂ  操作部
７    係止部
８    装着部
９    分割部
１０  シャフト
１１  中央穴
１１ａ、１１ｂ  円弧溝
１２  開口
１３  皿ばね
１４  先端側ストッパ
１５  皿ばね
１６  基端側ストッパ
１７  ねじ
１８  ハンドル
１９  付勢ばね
２０  シャフト孔
２１  シャフト孔
２２  凹部
２３  凹部
２４ａ、２４ｂ  操作穴
２５  巻付け装置
２６  把持部
２７  押出部
２８  巻付け装置
２９  把持部
３０  押出部
３１  テーパー
【図１】
2018148652.tif 000003
【図２】
2018148652.tif 000004
【図３】
2018148652.tif 000005
【図４】
2018148652.tif 000006
【図５】
2018148652.tif 000007
【図６】
2018148652.tif 000008
【図７】
2018148652.tif 000009
【図８】
2018148652.tif 000010
【図９】
2018148652.tif 000011
【図１０】
2018148652.tif 000012